(57)【要約】【課題】  ３Ｄ表示が可能な表示部に表示情報を表示させる場合に、使用者に煩わしさを感じさせることなく、適切な表示を実現できるようにする。【解決手段】  携帯電話機１の中央制御部１１は、携帯電話機１に人体が接触した場合の接触の仕方に基づいて当該携帯電話機１が手持ち状態であるか否かを検出し、この手持ち状態であるか否かに基づいて表示対象コンテンツの３Ｄ表示での適正を判別し、この３Ｄ表示での適性に応じて決定された表示制御にしたがって当該コンテンツを表示部１９に表示させる。【選択図】  図２
2011015133.tif 000002
【特許請求の範囲】
【請求項１】
三次元表示が可能な表示部に表示情報を表示させる端末装置であって、
当該端末装置が手持ち状態であるか否かを検出する手持ち検出手段と、
この手持ち検出手段によって手持ち状態であるか否かの検出結果に基づいて前記表示情報の三次元表示での適正を判別する判別手段と、
この判別手段によって判別された三次元表示での適正に基づいて、前記表示情報を前記表示部に表示させる際の表示制御を決定する決定手段と、
この決定手段によって決定された表示制御にしたがって前記表示情報を前記表示部に表示させる表示制御手段と、
を具備したことを特徴とする端末装置。
【請求項２】
前記検出手段は、当該端末装置に人体が接触した場合の接触の仕方に基づいて当該端末装置が手持ち状態であるか否かを検出する、
ようにしたことを特徴とする請求項１記載の端末装置。
【請求項３】
三次元表示が可能な表示部に表示情報を表示させる端末装置であって、
時刻を計時する計時手段と、
この計時手段によって計時された時刻に基づいて前記表示情報の三次元表示での適正を判別する判別手段と、
この判別手段によって判別された三次元表示での適正に基づいて、前記表示情報を前記表示部に表示させる際の表示制御を決定する決定手段と、
この決定手段によって決定された表示制御にしたがって前記表示情報を前記表示部に表示させる表示制御手段と、
を具備したことを特徴とする端末装置。
【請求項４】
前記表示情報の三次元表示での適正を判別するための適性条件として時間帯を手動操作によって任意に設定する設定手段を更に備え、
前記判別手段は、前記計時手段による計時時刻が前記適性条件としての時間帯に該当するか否かに基づいて当該表示情報の三次元表示での適正を判別する、
ようにしたことを特徴とする請求項３記載の端末装置。
【請求項５】
三次元表示が可能な表示部に表示情報を表示させる端末装置であって、
使用者を特定する使用者特定手段と、
この使用者特定手段によって特定された使用者に基づいて前記表示情報の三次元表示での適正を判別する判別手段と、
この判別手段によって判別された三次元表示での適正に基づいて、前記表示情報を前記表示部に表示させる際の表示制御を決定する決定手段と、
この決定手段によって決定された表示制御にしたがって前記表示情報を前記表示部に表示させる表示制御手段と、
を具備したことを特徴とする端末装置。
【請求項６】
前記使用者特定手段は、使用者の属性を特定し、
前記判別手段は、前記使用者特定手段によって特定された使用者の属性に基づいて前記表示情報の三次元表示での適正を判別する、
ようにしたことを特徴とする請求項５記載の端末装置。
【請求項７】
使用者の生体情報を取得する生体情報取得手段を更に備え、
前記使用者特定手段は、前記生体情報取得手段によって取得された前記生体情報に基づいて使用者を特定する、
ようにしたことを特徴とする請求項５記載の端末装置。
【請求項８】
使用者を撮影する撮像手段を更に備え、
前記使用者特定手段は、前記撮影手段によって撮影された画像に基づいて当該使用者を特定する、
ようにしたことを特徴とする請求項５記載の端末装置。
【請求項９】
前記決定手段は、前記判別手段によって判別された三次元表示での適正に基づいて、前記表示情報を前記表示部に二次元表示させるか三次元表示させるかの表示制御を決定する、
ようにしたことを特徴とする請求項１、請求項３、請求項５いずれか記載の端末装置。
【請求項１０】
前記決定手段は、前記判別手段によって判別された三次元表示での適正に基づいて、前記表示情報を前記表示部に表示させる際の表示制御として、三次元表示の深度を決定し、
前記表示制御手段は、前記決定手段によって決定された三次元表示の深度で前記表示情報を前記表示部に表示させる、
ようにしたことを特徴とする請求項１、請求項３、請求項５いずれか記載の端末装置。
【請求項１１】
前記表示情報として、三次元表示の深度が異なる複数の実データを持つコンテンツを複数種記憶するコンテンツ記憶手段を更に備え、
前記表示制御手段は、前記コンテンツ記憶手段に記憶されている複数種のコンテンツの中から表示対象として選択されたコンテンツを表示させる際に、この表示対象コンテンツとして前記決定手段によって決定された三次元表示の深度に対応する実データを読み出して前記表示情報を前記表示部に三次元表示させる、
ようにしたことを特徴とする請求項１０記載の端末装置。
【請求項１２】
前記決定手段は、前記判別手段によって判別された三次元表示での適正として、三次元表示に適していないと判別された場合に、三次元表示の深度として弱い深度を決定する、
ようにしたことを特徴とする請求項１１記載の端末装置。
【請求項１３】
前記表示情報としてコンテンツを受信する受信手段を更に備え、
前記表示制御手段は、前記受信手段によって受信したコンテンツを前記決定手段によって決定された表示制御にしたがって前記表示部にリアルタイムに表示させる、
ようにしたことを特徴とする請求項１、請求項３、請求項５いずれか記載の端末装置。
【請求項１４】
コンピュータに対して、
三次元表示が可能な表示部に表示情報を表示させる端末装置が手持ち状態であるか否かを検出する機能と、
前記手持ち状態であるか否かの検出結果に基づいて前記表示情報の三次元表示での適正を判別する機能と、
前記判別された三次元表示での適正に基づいて、前記表示情報を前記表示部に表示させる際の表示制御を決定する機能と、
前記決定された表示制御にしたがって前記表示情報を前記表示部に表示させる機能と、
を実現させるためのプログラム。
【請求項１５】
コンピュータに対して、
時刻を計時する機能と、
前記計時された時刻に基づいて表示情報の三次元表示での適正を判別する機能と、
前記判別された三次元表示での適正に基づいて、前記表示情報を三次元表示が可能な表示部に表示させる際の表示制御を決定する機能と、
前記決定された表示制御にしたがって前記表示情報を前記表示部に表示させる機能と、
を実現させるためのプログラム。
【請求項１６】
コンピュータに対して、
使用者を特定する機能と、
前記特定された使用者に基づいて表示情報の三次元表示での適正を判別する機能と、
前記判別された三次元表示での適正に基づいて、前記表示情報を三次元表示が可能な表示部に表示させる際の表示制御を決定する機能と、
前記決定された表示制御にしたがって前記表示情報を前記表示部に表示させる機能と、
を実現させるためのプログラム。
【発明の詳細な説明】
【技術分野】
【０００１】
本発明は、三次元表示が可能な表示部に表示情報を表示させる端末装置及びプログラムに関する。
【背景技術】
【０００２】
従来、平面状の表示部に画像（静止画、動画）、テキスト、メニューなどの表示情報を三次元表示（３Ｄ表示）して使用者に立体視させるようにした技術には、各種の技術があり、例えば、二次元（２Ｄ）表示情報の中のオブジェクトに立体に見えるような視覚効果を施して、そのオブジェクトを立体に見せる技術がある。なお、ポリゴンを利用した技術はこの技術の一例である。また、使用者の右目と左目の視差を利用した技術もある。すなわち、互いに少しずらした右目用の表示情報と左目用の表示情報を用意し、それら２つの表示情報を同時に表示させた際に、右目用の表示情報は右目で見えて左目では見えないように、左目用の表示情報は左目で見えて右目では見えないようにするために、光の経路を遮断する電子式の視差バリア（スイッチング液晶パネル）を適切な位置に配置することによって表示情報を立体に見せるようにした技術である。
【０００３】
上述したいずれの３Ｄ表示技術においても、３Ｄの奥行きや飛び出しの程度を示す３Ｄ深度というパラメータがあり、この３Ｄ深度が大きいほど、使用者には表示情報がより深く、あるいはより飛び出して見えることになる。反対に３Ｄ深度が小さいほど、表示情報が浅く見える、あるいはあまり飛び出して見えないことになり、３Ｄ深度がゼロでは、２Ｄに見える（すなわち２Ｄ表示する）ということになる。従来、電子式の視差バリアを用いて、平面（２Ｄ）／立体（３Ｄ）画像を適宜変換して表示する表示システムが知られている（特許文献１参照）。
【先行技術文献】
【特許文献】
【０００４】
【特許文献１】特開２００６−１２１５５３号公報
【発明の概要】
【発明が解決しようとする課題】
【０００５】
ところで、表示情報を３Ｄ表示させることは、必ずしも最良であるとは限らず、返って見にくい画像を使用者に見せることにもなることにもなり、また、３Ｄ処理は、電力消費が多いため、いつも３Ｄ表示を行うことは、電力消費の点で好ましくない。
【０００６】
本発明の課題は、３Ｄ表示が可能な表示部に表示情報を表示させる場合に、使用者に煩わしさを感じさせることなく、適切な表示を実現できるようにすることである。
【課題を解決するための手段】
【０００７】
上述した課題を解決するために請求項１記載の発明は、三次元表示が可能な表示部に表示情報を表示させる端末装置であって、当該端末装置が手持ち状態であるか否かを検出する手持ち検出手段と、この手持ち検出手段によって手持ち状態であるか否かの検出結果に基づいて前記表示情報の三次元表示での適正を判別する判別手段と、この判別手段によって判別された三次元表示での適正に基づいて、前記表示情報を前記表示部に表示させる際の表示制御を決定する決定手段と、この決定手段によって決定された表示制御にしたがって前記表示情報を前記表示部に表示させる表示制御手段と、を具備したことを特徴とする。
【０００８】
請求項１に従属する発明として、前記検出手段は、当該端末装置に人体が接触した場合の接触の仕方に基づいて当該端末装置が手持ち状態であるか否かを検出する、ようにしたことを特徴とする請求項２記載の発明であってもよい。
【０００９】
また、上述した課題を解決するために請求項３記載の発明は、三次元表示が可能な表示部に表示情報を表示させる端末装置であって、時刻を計時する計時手段と、この計時手段によって計時された時刻に基づいて前記表示情報の三次元表示での適正を判別する判別手段と、この判別手段によって判別された三次元表示での適正に基づいて、前記表示情報を前記表示部に表示させる際の表示制御を決定する決定手段と、この決定手段によって決定された表示制御にしたがって前記表示情報を前記表示部に表示させる表示制御手段と、を具備したことを特徴とする。
【００１０】
請求項３に従属する発明として、前記表示情報の三次元表示での適正を判別するための適性条件として時間帯を手動操作によって任意に設定する設定手段を更に備え、前記判別手段は、前記計時手段による計時時刻が前記適性条件としての時間帯に該当するか否かに基づいて当該表示情報の三次元表示での適正を判別する、ようにしたことを特徴とする請求項４記載の発明であってもよい。
【００１１】
また、上述した課題を解決するために請求項５記載の発明は、三次元表示が可能な表示部に表示情報を表示させる端末装置であって、使用者を特定する使用者特定手段と、この使用者特定手段によって特定された使用者に基づいて前記表示情報の三次元表示での適正を判別する判別手段と、この判別手段によって判別された三次元表示での適正に基づいて、前記表示情報を前記表示部に表示させる際の表示制御を決定する決定手段と、この決定手段によって決定された表示制御にしたがって前記表示情報を前記表示部に表示させる表示制御手段と、を具備したことを特徴とする。
【００１２】
請求項５に従属する発明として、前記使用者特定手段は、使用者の属性を特定し、前記判別手段は、前記使用者特定手段によって特定された使用者の属性に基づいて前記表示情報の三次元表示での適正を判別する、ようにしたことを特徴とする請求項６記載の発明であってもよい。
【００１３】
請求項５に従属する発明として、使用者の生体情報を取得する生体情報取得手段を更に備え、前記使用者特定手段は、前記生体情報取得手段によって取得された前記生体情報に基づいて使用者を特定する、ようにしたことを特徴とする請求項７記載の発明であってもよい。
【００１４】
請求項５に従属する発明として、使用者を撮影する撮像手段を更に備え、前記使用者特定手段は、前記撮影手段によって撮影された画像に基づいて当該使用者を特定する、ようにしたことを特徴とする請求項８記載の発明であってもよい。
【００１５】
請求項１、３、５いずれか記載に従属する発明として、前記決定手段は、前記判別手段によって判別された三次元表示での適正に基づいて、前記表示情報を前記表示部に二次元表示させるか三次元表示させるかの表示制御を決定する、ようにしたことを特徴とする請求項９記載の発明であってもよい。
【００１６】
請求項１、３、５いずれか記載に従属する発明として、前記決定手段は、前記判別手段によって判別された三次元表示での適正に基づいて、前記表示情報を前記表示部に表示させる際の表示制御として、三次元表示の深度を決定し、前記表示制御手段は、前記決定手段によって決定された三次元表示の深度で前記表示情報を前記表示部に表示させる、ようにしたことを特徴とする請求項１０記載の発明であってもよい。
【００１７】
請求項１０記載に従属する発明として、前記表示情報として、三次元表示の深度が異なる複数の実データを持つコンテンツを複数種記憶するコンテンツ記憶手段を更に備え、前記表示制御手段は、前記コンテンツ記憶手段に記憶されている複数種のコンテンツの中から表示対象として選択されたコンテンツを表示させる際に、この表示対象コンテンツとして前記決定手段によって決定された三次元表示の深度に対応する実データを読み出して前記表示情報を前記表示部に三次元表示させる、ようにしたことを特徴とする請求項１１記載の発明であってもよい。
【００１８】
請求項１０記載に従属する発明として、前記決定手段は、前記判別手段によって判別された三次元表示での適正として、三次元表示に適していないと判別された場合に、三次元表示の深度として弱い深度を決定する、請求項１２記載の発明であってもよい。
【００１９】
請求項１、３、５いずれか記載に従属する発明として、前記表示情報としてコンテンツを受信する受信手段を更に備え、前記表示制御手段は、前記受信手段によって受信したコンテンツを前記決定手段によって決定された表示制御にしたがって前記表示部にリアルタイムに表示させる、ようにしたことを特徴とする請求項１３記載の発明であってもよい。
【００２０】
また、上述した課題を解決するために請求項１４記載の発明は、コンピュータに対して、三次元表示が可能な表示部に表示情報を表示させる端末装置が手持ち状態であるか否かを検出する機能と、前記手持ち状態であるか否かの検出結果に基づいて前記表示情報の三次元表示での適正を判別する機能と、前記判別された三次元表示での適正に基づいて、前記表示情報を前記表示部に表示させる際の表示制御を決定する機能と、前記決定された表示制御にしたがって前記表示情報を前記表示部に表示させる機能と、を実現させるためのプログラムを特徴とする。
【００２１】
また、上述した課題を解決するために請求項１５記載の発明は、コンピュータに対して、時刻を計時する機能と、前記計時された時刻に基づいて表示情報の三次元表示での適正を判別する機能と、前記判別された三次元表示での適正に基づいて、前記表示情報を三次元表示が可能な表示部に表示させる際の表示制御を決定する機能と、前記決定された表示制御にしたがって前記表示情報を前記表示部に表示させる機能と、を実現させるためのプログラムを特徴とする。
【００２２】
また、上述した課題を解決するために請求項１６記載の発明は、コンピュータに対して、使用者を特定する機能と、前記特定された使用者に基づいて表示情報の三次元表示での適正を判別する機能と、前記判別された三次元表示での適正に基づいて、前記表示情報を三次元表示が可能な表示部に表示させる際の表示制御を決定する機能と、前記決定された表示制御にしたがって前記表示情報を前記表示部に表示させる機能と、を実現させるためのプログラムを特徴とする。
【発明の効果】
【００２３】
本発明によれば、３Ｄ表示が可能な表示部に表示情報を表示させる場合に、使用者に煩わしさを感じさせることなく、適切な表示を実現することができ、実用性に富んだものとなる。
【図面の簡単な説明】
【００２４】
【図１】端末装置として適用した携帯電話機が利用可能な通信ネットワークシステムを示したブロック図。
【図２】携帯電話機１の基本的な構成要素を示したブロック図。
【図３】表示制御情報記憶部Ｍ３を説明するための図。
【図４】テレビアプリなどのビューワアプリの起動で実行開始される表示制御処理を示したフローチャート。
【図５】“手持ち状態”に応じて表示制御を決定する表示制御決定処理（図４のステップＡ７）を詳述するためのフローチャート。
【図６】“時間帯”に応じて表示制御を決定する表示制御決定処理（図４のステップＡ８）を詳述するためのフローチャート。
【図７】“使用者”に応じて表示制御を決定する表示制御決定処理（図４のステップＡ９）を詳述するためのフローチャート。
【図８】第２実施形態においてコンテンツ記憶部Ｍ４を説明するための図。
【図９】第２実施形態において、コンテンツ再生操作に応答して実行開始される表示制御処理を示したフローチャート。
【発明を実施するための形態】
【００２５】
（実施形態１）
以下、図１〜図７を参照して本発明の第１実施形態を説明する。
この実施形態は、端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能（折り畳み自在）に取り付けた折り畳みタイプで、この携帯電話機１には、通話機能、電子メール機能、インターネット接続機能（Ｗｅｂアクセス機能）、カメラ機能のほか、デジタルテレビ放送（例えば、ワンセグ地上デジタルテレビ放送）を受信して視聴が可能なテレビ機能及び３Ｄ（三次元）表示機能、録画機能などが備えられている。３Ｄ表示機能は、左右の目の視差を利用した視差バリア方式によって、動画、静止画、テキスト、メニューなどの表示情報（コンテンツ）を２Ｄ（二次元）表示させるのではなく、３Ｄの奥行きあるいは飛び出しの程度を示す３Ｄ深度で表示させる機能である。
【００２６】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュース、音楽などのマルチメディアのコンテンツをインターネット３、無線通信網２を介してダウンロードして再生するストリーミングが可能となる。
【００２７】
また、携帯電話機１は、テレビ局５から送信アンテナ６を介して発信された地上波デジタル放送（放送コンテンツ）を受信するようにしているが、インターネットラジオのように無線通信網２、インターネット３を介して情報配信装置４からデジタル放送をダウンロード受信したりすることもできる。このように携帯電話機１は、テレビ機能などを介して放送コンテンツを受信したり、インターネット接続機能を介してストリーミング用コンテンツをダウンロード受信したりすることができるようになっている。その他に、着脱自在な可搬型メモリカードなどの記録メディア７から各種コンテンツを取得したり、Bluetooth（登録商標）通信、赤外線通信などの近距離通信を介して他の携帯電話機などの外部機器８から各種のコンテンツを取得したりすることができるようになっている。
【００２８】
図２は、携帯電話機１の基本的な構成要素を示したブロック図である。
中央制御部１１は、二次電池を備えた電源部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、表示制御情報記憶部Ｍ３、後述する第２実施形態で使用するコンテンツ記憶部Ｍ４などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００２９】
プログラム記憶部Ｍ１には、図４〜図７に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、表示制御情報記憶部Ｍ３については後で詳述するものとする。
【００３０】
その他アプリ処理関係部１４は、電子メール機能、インターネット接続機能、カメラ機能、テレビ機能などのアプリケーション処理に関する情報を記憶したり、その処理に関する制御を行ったりする。無線通信部１５は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調した後、音声信号処理部１６を介して通話用スピーカＳＰから音声出力させ、また、通話用マイクＭＣからの入力音声データを音声信号処理部１６から取り込み、送信ベースバンド信号に符号化した後、ベースバンド部の送信側に与えてアンテナＡＴ１から発信出力させる。
【００３１】
テレビ放送受信部１７は、テレビ機能を構成するもので、通信端末装置向けのワンセグ地上波デジタルテレビ放送のほか、電子番組表（ＥＰＧ情報）などの番組情報も含めて受信可能となっている。このテレビ放送受信部１７は、テレビ用アンテナＡＴ２によって受信したテレビ放送信号の中から予め選局されているチャンネルの放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００３２】
撮像処理部１８は、静止画撮影のほかに動画撮影も可能なカメラ機能を構成するもので、図示省略するが、インカメラ、アウトカメラを構成する。なお、インカメラは、自己の顔などを撮影するＴＶ電話用の撮像部であり、また、アウトカメラは、外界を撮影する通常の撮像部である。例えば、この携帯電話装置を構成する２つの筐体（操作部筐体、表示部筐体）が開閉可能（折り畳み可能）に取り付けられている場合に、この２つの筐体を開いた状態において、インカメラは、表示部筐体の内側（表示画面側）に配置されたカメラであり、アウトカメラは、表示部筐体の外側（インカメラの反対側）に配置されたカメラである。
【００３３】
そして、撮像処理部１８は、撮影レンズ、ミラーなどのレンズ・ミラーブロック、撮像素子、その駆動系のほか、測距センサ、光量センサ、アナログ処理回路、信号処理回路、圧縮伸張回路などを備え、光学ズームを調整制御したり、撮像する焦点を調整するオートフォーカス、あるいは手動操作による手動フォーカスを調整制御したり、シャッター駆動制御、露出、ホワイトバランスなどを制御したりするようにしている。なお、上述したインカメラは、ＴＶ電話用として利用されるほか、使用者特定用としても利用されるもので、制御部１は、このインカメラによって使用者の顔が撮影された際に、この顔画像を解析すると共に、その解析結果と予め登録されている顔情報（図示省略）とを照合することによってその使用者は誰かを特定したり、使用者はどのような年齢層に該当するかを推測したりするようにしている。
【００３４】
３Ｄ表示対応の表示部１９は、高精細液晶を使用し、例えば、文字情報、待受画像、テレビ映像、撮影画像などの表示情報（コンテンツ）を表示させるもので、この表示部１９の表面には、視差バリア（図示省略）を生成するための液晶の層が設けられていて３Ｄ表示が可能となっている。２Ｄ／３Ｄ変換処理部２０は、２Ｄコンテンツを３Ｄ深度に応じた右目用のコンテンツと左目用のコンテンツに変換したり、３Ｄコンテンツを別の３Ｄ深度のコンテンツに変換したり、３Ｄコンテンツを２Ｄコンテンツに変換したりするもので、この３Ｄ変換処理部２０によって変換されたコンテンツは、表示部１９に３Ｄ表示されたり２Ｄ表示されたりする。
【００３５】
操作部２１は、ダイヤル入力、文字入力、コマンド入力などを入力するもので、中央制御部１１は、この操作部２１からの入力操作信号に応じた処理を実行する。報知部２２は、図示しないサウンドスピーカ、ＬＥＤ（発光ダイオード）ランプ、振動モータを備え、着信時に駆動されて着信報知を行うほか、アラーム報知時などでも駆動される。タッチセンサ部２３は、携帯電話機１を構成する操作部筐体の両側部に人体接触部（透明タッチセンサ）をそれぞれ配設した構成で、中央制御部１１は、タッチセンサ部２３への接触状況に基づいて携帯電話機１が手持ち状態にあるか否かを検出するようにしている。
【００３６】
なお、手持ち状態を検出するために、例えば、スタイル検出部（図示省略）を設けることによって、携帯電話機１を構成する２つの筐体（操作部筐体、表示部筐体）の折り畳みを開いた状態（オープンスタイル）であることを検出し、かつ、操作部筐体の両側部に配設したタッチセンサ部２３に人体がそれぞれ接触したことを検出した際に、手持ち状態にあると検出するようにしてもよい。また、タッチセンサ部２３は、上述のように手持ち状態か否かを検出する場合に利用されるほか、この携帯電話機１の使用者を特定するために、その使用者がタッチセンサ部２３に接触した接触部位から指紋情報を採取する場合にも利用される。この場合、中央制御部１１は、タッチセンサ部２３からの指紋情報（使用者の生体情報）を解析すると共に、その解析結果と予め登録されている指紋情報（図示省略）とを照合することによってその使用者は誰かを特定するようにしている。計時部２４は、現在時刻（時分秒のほか、曜日、日付を含む）を計時する時計を構成するもので、中央制御部１１は、現在時刻が所定の時間帯に該当するかを判別するようにしている。
【００３７】
図３は、表示制御情報記憶部Ｍ３を説明するための図である。
表示制御情報記憶部Ｍ３は、表示対象のコンテンツを表示部１９に表示させる際に、当該コンテンツの３Ｄ表示での適正に基づいて、当該コンテンツを２Ｄ表示させるか３Ｄ表示させるかを示すほかに３Ｄ表示させる場合にはどの位の深さ（強さ）の３Ｄ深度で表示させるかを示す表示制御情報を記憶するもので、「適性条件」と「表示制御情報」とを対応付けて記憶する構成となっている。この表示制御情報記憶部Ｍ３の内容は、手動操作によって任意に設定されたものである。中央制御部１１は、この表示制御情報記憶部Ｍ３を参照し、表示対象として受信した放送コンテンツやストリーミング用コンテンツの３Ｄ表示での適正を判別すると共に、この３Ｄ表示での適性に応じてその表示制御を決定し、この表示制御にしたがって表示部１９に当該コンテンツを２Ｄ表示させたり、３Ｄ表示させたりするようにしている。
【００３８】
すなわち、表示制御情報記憶部Ｍ３は、種類テーブルＴ１、適性条件別テーブルＴ２、Ｔ３、Ｔ４のほか、参照用テーブルＴ５を有している。種類テーブルＴ１は、「適性条件」の種類を記憶するもので、タッチセンサ部２３への接触状況に基づいて携帯電話機１が手持ち状態であるか否かを適性条件とする“手持ち状態”と、計時部２４によって計時された現在時刻が予め決められている時間帯に該当するか否かを適性条件とする“時間帯”と、携帯電話機１を使用してコンテンツ表示を見る使用者は誰か又はどのような属性の人かを適性条件とする“使用者（個人／属性）”とを記憶するようにしている。この「適性条件」の種類としての“手持ち状態”、“時間帯”、“使用者（個人／属性）”に対応付けられている「設定フラグ」は、どの適性条件が有効であるか否かを示すもので、このフラグ“１”は、現在、有効な適性条件であることを示し、図示の例では、“手持ち状態”が現在有効な適性条件であることを示している。
【００３９】
適性条件別テーブルＴ２は、「適性条件」の“時間帯”に応じて「表示制御情報」を記憶するもので、使用者の生活時間帯として、例えば、“食事時間帯”、“趣味時間帯１”、“趣味時間帯２”、…が記憶され、更に、“食事時間帯”は、例えば、“７：００〜８：００”、“１２：００〜１３：００”、“１９：００〜２０：００”に区分されている。この「適性条件」としての“時間帯”は、手動操作によって任意に設定されたもので、“趣味時間帯１”は、例えば、ヨガ教室の番組を視聴する時間帯として、“毎週水曜日２０：００〜２２：００”、また、“趣味時間帯２”は、映画番組を鑑賞する時間帯として、“毎週金曜日２１：００〜２３：００”であることを示している。「表示制御情報」は、現在時刻が該当する時間帯に応じて表示制御を決定する際に使用されるもので、２Ｄ表示させるか３Ｄ表示させるかを示す「２Ｄ／３Ｄ」を有するほか、３Ｄ表示させる場合にはその適性具合に応じてどの位の深さ（強さ）の３Ｄ深度で表示させるかを示す「３Ｄ深度」を有している。
【００４０】
「３Ｄ深度」は、コンテンツの３Ｄの奥行きあるいは飛び出しの程度を示すもので、“レベル３”、“レベル２”、“レベル１”、レベル０が設定され、３Ｄ深度の強い順に、レベル３＞レベル２＞レベル１＞レベル０の関係となっている。なお、“レベル０”は、３Ｄ深度が“レベル０（ゼロ）”で、２Ｄ（平面）であることを示し、「３Ｄ深度」が“レベル０”のコンテンツは、２Ｄ表示される。なお、図示の例において、各“食事時間帯”に対応して「２Ｄ／３Ｄ」にはそれぞれ“２Ｄ”が記憶され、「３Ｄ深度」には“レベル０”がそれぞれ記憶されている。また、“趣味時間帯１”に対応して「２Ｄ／３Ｄ」には“２Ｄ”が記憶され、「３Ｄ深度」には“レベル０”が記憶され、また、“趣味時間帯２”に対応して「２Ｄ／３Ｄ」には“３Ｄ”が記憶され、「３Ｄ深度」には“レベル２”が記憶されている。つまり、本格的にテレビ放送を視聴する場合には、３Ｄ表示、それ以外では２Ｄ表示のような表示制御を行うようにしている。
【００４１】
適性条件別テーブルＴ３は、「適性条件」の“使用者（個人）”に応じて「表示制御情報」を記憶する構成となっている。この「適性条件」としての“使用者（個人）”は、手動操作によって任意に設定されたもので、携帯電話機１を使用してテレビ放送などを視聴する可能性のある各個人（家族、友人、知人など）として、例えば、“祖母”、“父”、“母”、“兄”、“妹”などが記憶されている。「表示制御情報」は、携帯電話機１を使用してテレビ放送などを視聴する使用者に応じて表示制御を決定する際に使用されるもので、上述した適性条件別テーブルＴ２と同様の「２Ｄ／３Ｄ」及び「３Ｄ深度」を有している。なお、図示の例では、眼の健康状態、成長期などを考慮して、“祖母”に対応して「２Ｄ／３Ｄ」には“２Ｄ”が記憶され、「３Ｄ深度」には“レベル０”が記憶され、また、“父”及び“兄”に対応して「２Ｄ／３Ｄ」には“３Ｄ”が記憶され、「３Ｄ深度」には“レベル３”が記憶され、また、“母”に対応して「２Ｄ／３Ｄ」には“３Ｄ”が記憶され、「３Ｄ深度」には“レベル２”が記憶され、また、“妹”に対応して「２Ｄ／３Ｄ」には“３Ｄ”が記憶され、「３Ｄ深度」には“レベル１”が記憶されている。
【００４２】
適性条件別テーブルＴ４は、「適性条件」の“使用者（属性）”に応じて「表示制御情報」を記憶する構成となっている。この「適性条件」としての“使用者（属性）”は、手動操作によって任意に設定されたもので、携帯電話機１を使用してテレビ放送などを視聴する可能性のある使用者の属性（年齢層）として、例えば、“１２歳未満”、“１２歳以上６５歳未満”、“６５歳以上”に区分されている。「表示制御情報」は、この携帯電話機１を使用してテレビ放送などを視聴する使用者の属性に応じて表示制御を決定する際に使用されるもので、上述した適性条件別テーブルＴ２と同様の「２Ｄ／３Ｄ」及び「３Ｄ深度」を有している。なお、図示の例では、成長期などを考慮して、“１２歳未満”、及び“６５歳以上”に対応して「２Ｄ／３Ｄ」には“２Ｄ”が記憶され、「３Ｄ深度」には“レベル０”が記憶され、“１２歳以上６５歳未満”に対応して「２Ｄ／３Ｄ」には“３Ｄ”が記憶され、「３Ｄ深度」には“レベル２”が記憶されている。
【００４３】
参照用テーブルＴ５は、この携帯電話機１を使用してテレビ放送などを視聴する使用者（個人／属性）を特定する方法を決定する際に参照されるもので、「決定方法」、「設定フラグ」を有する構成となっている。「決定方法」は、使用者（個人／属性）を特定するための情報を手動操作によって入手する方法の“手動操作”と、使用者の指紋を採取することによって使用者（個人／属性）を特定するための情報を入手する方法の“自動１”と、使用者の顔を撮影した画像を解析することによって使用者（個人／属性）を特定するための情報を入手する方法の“自動２”を有している。この「決定方法」に対応する「設定フラグ」は、そのいずれを有効であるかを示すフラグで、図示の例では、“自動２”が現在有効な「決定方法」であることを示している。
【００４４】
次に、第１実施形態における携帯電話機１の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
なお、図４は、携帯電話機１の全体動作のうち、本実施形態の特徴部分の動作概要を示したフローチャートであり、この図４のフローから抜けた際には、全体動作のメインフロー（図示省略）に戻る。
【００４５】
図４は、テレビアプリなどのビューワアプリの起動で実行開始される表示制御処理を示したフローチャートである。
先ず、中央制御部１１は、コンテンツ受信再生操作（リアルタイム再生操作）に応答して、テレビ機能が起動されたかを調べ（ステップＡ１）、テレビ機能が起動された場合には（ステップＡ１でＹＥＳ）、表示対象のコンテンツとして、テレビ放送受信部１７から放送コンテンツ（２Ｄ表示用コンテンツ）の受信を開始する（ステップＡ２）。また、インターネット接続機能が起動された場合には（ステップＡ１でＮＯ）、表示対象のコンテンツとして、無線通信部１５からストリーミング用コンテンツ（２Ｄ表示用コンテンツ）の受信を開始する（ステップＡ３）。
【００４６】
そして、表示制御情報記憶部Ｍ３を構成する種類テーブルＴ１の「設定フラグ」を参照し（ステップＡ４）、「設定フラグ」が“１”の「適性条件」は、“手持ち状態”であるか否かを調べたり（ステップＡ５）、“時間帯”であるか“使用者”であるかを調べたりする（ステップＡ６）。いま、「設定フラグ」が“１”の「適性条件」が“手持ち状態”であれば（ステップＡ５でＹＥＳ）、“手持ち状態”に応じて表示制御を決定する表示制御決定処理に移るが（ステップＡ７）、“時間帯”であれば（ステップＡ６でＹＥＳ）、“時間帯”に応じて表示制御を決定する表示制御決定処理に移り（ステップＡ８）、“使用者”であれば（ステップＡ６でＮＯ）、“使用者”に応じて表示制御を決定する表示制御決定処理に移る（ステップＡ９）。
【００４７】
図５は、“手持ち状態”に応じて表示制御を決定する表示制御決定処理（図４のステップＡ７）を詳述するためのフローチャートである。
先ず、中央制御部１１は、タッチセンサ部２３を動作させた状態において（ステップＢ１）、操作部筐体の両側部に配設されているタッチセンサ部２３への接触状況を取得し（ステップＢ２）、この接触状況に基づいて携帯電話機１が“手持ち状態”であるか否かを検出する（ステップＢ３）。この場合、タッチセンサ部２３への接触を検出しなかったときや接触を検出しても３D表示を視認する場合の適切な視距離が安定して確保できるような持ち方に対応する接触状況でないときには、“手持ち状態”ではないと判断する。
【００４８】
いま、“手持ち状態”でなければ（ステップＢ３でＮＯ）、３Ｄ表示に適さないと判断し、受信コンテンツを２Ｄ表示させるために３Ｄ深度として“レベル０”を決定するが（ステップＢ５）、手持ち状態であると判断した場合には（ステップＢ３でＹＥＳ）、３Ｄ表示に適すると判断し、受信コンテンツを３Ｄ表示させるための３Ｄ深度として“レベル２”を決定する（ステップＢ４）。なお、手持ち状態での３Ｄ深度は、“レベル２”に限らず、“レベル１”あるいは“レベル３”であってもよい。そして、上述のようにして決定した３Ｄ深度を各種情報一時記憶部Ｍ２に一時記憶する（ステップＢ６）。
【００４９】
図６は、“時間帯”に応じて表示制御を決定する表示制御決定処理（図４のステップＡ８）を詳述するためのフローチャートである。
先ず、中央制御部１１は、計時部２４から現在時刻を取得した後（ステップＣ１）、時間帯の適性条件別テーブルＴ２の有無を調べる（ステップＣ２）。ここで、手動操作によって適性条件別テーブルＴ２が作成され、“時間帯”に対応付けて「表示制御情報」が設定されていれば（ステップＣ２でＹＥＳ）、現在時刻に該当する“時間帯”の有無を調べる（ステップＣ３）。ここで、いずれかの“時間帯”に該当していれば（ステップＣ３でＹＥＳ）、この“時間帯”に対応付けられている「表示制御情報」から「３Ｄ深度」を読み出して、受信コンテンツを３Ｄ表示させるための３Ｄ深度として決定する（ステップＣ４）。例えば、現在時刻が“金曜日の２１：００〜２３：００”であれば、“趣味時間帯２”に該当するため、「３Ｄ深度」として“レベル２”を決定する。
【００５０】
また、適性条件別テーブルＴ２が設定されていない場合（ステップＣ２でＮＯ）、あるいは適性条件別テーブルＴ２が設定されていても、現在時刻がいずれの“時間帯”にも該当しない場合には（ステップＣ３でＮＯ）、深夜時間帯又は早朝時間帯かを調べ（ステップＣ６）、深夜時間帯又は早朝時間帯であれば（ステップＣ６でＹＥＳ）、３Ｄ表示に適さないと判断し、受信コンテンツを２Ｄ表示させるための３Ｄ深度として“レベル０”を決定する（ステップＣ７）。また、深夜時間帯又は早朝時間帯以外であれば（ステップＣ６でＮＯ）、受信コンテンツを３Ｄ表示させるための３Ｄ深度として“レベル２”を決定する（ステップＣ８）。この場合の３Ｄ深度は、“レベル２”に限らず、“レベル１”あるいは“レベル３”であってもよい。そして、上述のようにして決定した３Ｄ深度を各種情報一時記憶部Ｍ２に一時記憶する（ステップＣ５）。
【００５１】
図７は、“使用者”に応じて表示制御を決定する表示制御決定処理（図４のステップＡ９）を詳述するためのフローチャートである。
先ず、中央制御部１１は、参照用テーブルＴ５の「設定フラグ」を参照し（ステップＤ１）、「設定フラグ」が“１”の「決定方法」は、“自動１”であるか否かを調べたり（ステップＤ２）、“自動２”であるか“手動操作”であるかを調べたりする（ステップＤ３）。いま、「設定フラグ」が“１”の「決定方法」が“自動１”であれば（ステップＤ２でＹＥＳ）、タッチセンサ部２３を動作させた後（ステップＤ４）、タッチセンサ部２３から指紋情報を取得すると共に（ステップＤ５）、この指紋情報に基づいて指紋認証処理を行う（ステップＤ６）。
【００５２】
この場合、タッチセンサ部２３からの指紋情報を解析すると共に、その解析結果と予め登録されている指紋情報とを照合することによって指紋認証処理を行い、その結果、登録されている指紋情報に該当しないと判別された場合には（ステップＤ７でＮＯ）、受信コンテンツを２Ｄ表示させるために３Ｄ深度として“レベル０”を決定する（ステップＤ８）。また、登録されている指紋情報に該当すると判別された場合には（ステップＤ７でＹＥＳ）、その使用者を特定すると共に当該使用者に基づいて適性条件別テーブルＴ３を参照することによって（ステップＤ９）、対応する「表示制御情報」の「３Ｄ深度」を読み出し、受信コンテンツを３Ｄ表示させるための３Ｄ深度として決定する（ステップＤ１０）。例えば、使用者が“父”であれば、それに対応する「３Ｄ深度」として“レベル３”が決定され、“祖母”であれば、それに対応する「３Ｄ深度」として“レベル０”が決定される。
【００５３】
また、「設定フラグ」が“１”の「決定方法」が“自動２”であれば（ステップＤ３でＹＥＳ）、撮像処理部１８のインカメラを動作させる（ステップＤ１１）。そして、インカメラによって撮影された顔画像を取得した後（ステップＤ１２）、次の顔認証処理に移る（ステップＤ１３）。この場合、インカメラからの顔画像を解析すると共に、この解析結果と予め登録されている顔情報とを照合することによって顔認証処理を行う。ここで、登録されている顔情報に該当していると判別された場合には（ステップＤ１４でＹＥＳ）、その使用者を特定すると共に当該使用者に基づいて適性条件別テーブルＴ３を参照することによって（ステップＤ９）、対応する「表示制御情報」の「３Ｄ深度」を読み出し、受信コンテンツを３Ｄ表示させるための３Ｄ深度として決定する（ステップＤ１０）。例えば、使用者が“父”であれば、それに対応する「３Ｄ深度」として“レベル３”が決定される。
【００５４】
一方、顔認証処理の結果、登録されている顔情報に該当していないと判別された場合には（ステップＤ１４でＮＯ）、インカメラからの顔画像を解析することによって使用者の年齢層を推定する処理を行う（ステップＤ１５）。この場合、白髪や薄毛具合、皺の数、皮膚の弛みなどを総合的に判断して年齢層の推定を行い、その結果、推定が不可能であれば（ステップＤ１６でＮＯ）、受信コンテンツを２Ｄ表示させるために３Ｄ深度として“レベル０”を決定するが（ステップＤ１７）、推定が可能であれば（ステップＤ１６でＹＥＳ）、この推定年齢層に基づいて適性条件別テーブルＴ４を参照することによって（ステップＤ１８）、対応する「表示制御情報」の「３Ｄ深度」を読み出し、受信コンテンツを３Ｄ表示させるための３Ｄ深度として決定する（ステップＤ１９）。例えば、“１２歳未満”、“６５歳以上”であれば、３Ｄ深度として“レベル０”が決定され、“１２歳以上６５歳未満”であれば、３Ｄ深度として“レベル２”が決定される。
【００５５】
また、「設定フラグ」が“１”の「決定方法」が“手動操作”であれば（ステップＤ３でＮＯ）、使用者個人を特定するための情報の入力待ち状態となる（ステップＤ２０）。ここで、手動操作による情報入力がなければ（ステップＤ２０でＮＯ）、受信コンテンツを２Ｄ表示させるために３Ｄ深度として“レベル０”を決定するが（ステップＤ２１）、情報入力があれば（ステップＤ２０でＹＥＳ）、この入力情報に基づいて適性条件別テーブルＴ３を参照することによって（ステップＤ２２）、対応する「表示制御情報」の「３Ｄ深度」を読み出し、受信コンテンツを３Ｄ表示させるための３Ｄ深度として決定する（ステップＤ２３）。そして、上述のようにして決定した３Ｄ深度を各種情報一時記憶部Ｍ２に一時記憶する（ステップＣ２４）。
【００５６】
このような表示制御決定処理（図４のステップＡ７〜Ａ９）が終了すると、一時記憶の「３Ｄ深度」を読み出し（図４のステップＡ１０）、その“レベル０”であるかを調べる（ステップＡ１１）。いま、「３Ｄ深度」が“レベル０”であれば（ステップＡ１１でＹＥＳ）、受信コンテンツを２Ｄ表示させる処理に移るが、その際、表示部１９の表面に視差バリアが生成されていれば、この視差バリアを消去した後（ステップＡ１２）、受信コンテンツを表示部１９に２Ｄ表示させる（ステップＡ１３）。そして、受信コンテンツの終了が検出されたり、表示終了を指示するユーザ操作が行われたりするまで（ステップＡ１４）、上述のステップＡ１３に戻る。
【００５７】
また、「３Ｄ深度」が“レベル０”でなければ（ステップＡ１１でＮＯ）、視差バリアを表示部１９の表層に生成させると共に（ステップＡ１５）、受信コンテンツ（２Ｄコンテンツ）を「３Ｄ深度」に応じた３Ｄ表示用のコンテンツに変換する（ステップＡ１６）。その際、２Ｄ／３Ｄ変換処理部２０では、２Ｄの受信コンテンツを３Ｄ深度に応じた右目用のコンテンツと左目用のコンテンツに変換する処理が行われるので、この変換後の受信コンテンツを取得し、上述の「３Ｄ深度」で表示部１９に３Ｄ表示させる（ステップＡ１７）。そして、受信コンテンツの終了が検出されたり、表示終了を指示するユーザ操作が行われたりするまで（ステップＡ１８）、上述のステップＡ１７に戻る。なお、上述したステップＡ１４又はステップＡ１８での終了検出に応答して、図４の表示制御処理は終了する。
【００５８】
以上のように、第１実施形態においては、携帯電話機１の中央制御部１１は、携帯電話機１が手持ち状態であるか否かに基づいて表示対象コンテンツの３Ｄ表示での適正を判別し、この３Ｄ表示での適性に応じて決定された表示制御にしたがって当該コンテンツを表示部１９に表示させるようにしたので、使用者に煩わしさを感じさせることなく、携帯電話機１が手持ち状態であるか否かに応じて２Ｄ表示の見易い表示から臨場感のある３Ｄ表示まで使用者の意向に沿った適切な表示を実現することができ、電力消費の点でも有利であるなどの効果を有し、実用性に富んだものとなる。
【００５９】
携帯電話機１に人体が接触した場合の接触の仕方に基づいて当該携帯電話機１が手持ち状態であるか否かを検出するようにしたので、手持ち状態を確実に検出することができる。
【００６０】
計時部２４によって計時された現在時刻に基づいて３Ｄ表示での適正を判別し、この３Ｄ表示での適性に応じて決定された表示制御にしたがって当該コンテンツを表示部１９に表示させるようにしたので、使用者に煩わしさを感じさせることなく、現在時刻に応じて２Ｄ表示の見易い表示から臨場感のある３Ｄ表示まで使用者の意向に沿った適切な表示を実現することが、電力消費の点でも有利であるなどの効果を有し、実用性に富んだものとなる。
【００６１】
３Ｄ表示での適正を判別するための適性条件として時間帯を手動操作によって任意に設定するようにしたので、その設定によってユーザが所望する時間帯で３Ｄ表示させることができる。
【００６２】
携帯電話機１を使用してコンテンツ表示を見る使用者を特定し、この使用者に基づいて３Ｄ表示での適正を判別し、この３Ｄ表示での適性に応じて決定された表示制御にしたがって当該コンテンツを表示部１９に表示させるようにしたので、使用者に煩わしさを感じさせることなく、使用者に応じて２Ｄ表示の見易い表示から臨場感のある３Ｄ表示まで使用者の意向に沿った適切な表示を実現することが、電力消費の点でも有利であるなどの効果を有し、実用性に富んだものとなる。
【００６３】
使用者の属性（年齢層）を特定するようにしたので、例えば、ユーザが子供の場合、眼の発達を考慮して、高齢者の場合、眼の疲れを考慮して、２Ｄによる見易い表示に切り替えることができ、その他の年齢層では臨場感のある３Ｄ表示に切り替えることができる。
【００６４】
使用者の生体情報（指紋情報）に基づいて使用者を特定するようにしたので、使用者を確実に特定することができる。
【００６５】
使用者を撮影した撮影画像に基づいて使用者を特定するようにしたので、使用者に何ら操作を要求することなく、使用者を適切に特定することができる。
【００６６】
３Ｄ表示での適性に基づいて当該コンテンツを２Ｄ表示させるか３Ｄ表示させるかを制御するようにしたので、２Ｄ表示と３Ｄ表示とを適切に切り替えることができる。
【００６７】
３Ｄ表示での適性に応じて３Ｄの奥行きや飛び出しの程度を示す３Ｄ深度を決定して３Ｄ表示させるようにしたので、３Ｄ深度を制御することができる。
【００６８】
受信したコンテンツの３Ｄ表示での適正に応じて当該コンテンツを表示部１９にリアルタイムに表示させるようにしたので、放送コンテンツなどをリアルタイム出力する場合でも、２Ｄ表示の見易い表示から臨場感のある３Ｄ表示まで適切な表示を実現することができる。
【００６９】
なお、上述した第１実施形態においては、２Ｄ表示用の受信コンテンツを３Ｄ表示用のコンテンツに変換して３Ｄ表示させるようにしたが、同一時間に同一内容の２Ｄ表示用コンテンツ（放送コンテンツ）と３Ｄ表示用コンテンツ（放送コンテンツ）とを受信可能な携帯電話機１においては、サイマル放送としての２Ｄ表示用の放送コンテンツと３Ｄ表示用の放送コンテンツとを切り替えて２Ｄ／３Ｄ表示させるようにしてもよい。このことは、放送コンテンツの場合に限らず、無線通信部１５から受信したストリーミング用コンテンツとして２Ｄ表示用コンテンツと３Ｄ表示用コンテンツとが含まれている場合にも、それらのコンテンツを切り替えて２Ｄ／３Ｄ表示させるようにしてもよい。
【００７０】
（実施形態２）
以下、本発明の第２実施形態について図８及び図９を参照して説明する。
なお、上述した第１実施形態においては、放送コンテンツなどを受信して当該コンテンツの３Ｄ表示での適性を判別しながらリアルタイムに再生出力する場合を示したが、第２実施形態においては、テレビ放送を受信して記録したコンテンツ、カメラ撮影して保存したコンテンツなどのように予め記憶（蓄積）されているコンテンツを表示部１９に表示させる場合を示したものである。また、上述した第１実施形態においては、２Ｄ表示用コンテンツを３Ｄ表示用のコンテンツに変換して３Ｄ表示させるようにしたが、予め記憶されている２Ｄ／３Ｄ用コンテンツを読み出すことによって適切な２Ｄ／３Ｄ表示させるようにしたものである。ここで、両実施形態において基本的あるいは名称的に同一のものは、同一符号を付して示し、その説明を省略すると共に、以下、第２実施形態の特徴部分を中心に説明するものとする。
【００７１】
図８は、第２実施形態においてコンテンツ記憶部Ｍ４を説明するための図である。
コンテンツ記憶部Ｍ４は、表示部１９に表示させるための表示情報（コンテンツ）を記憶するもので、例えば、情報配信装置４から動画、静止画、音楽、ニュースなどの情報をインターネット３、無線通信網２を介してダウンロードしたり、テレビ放送受信部１７によって受信した放送番組を録画記録したりした情報をコンテンツとして記憶するようにしている。このコンテンツ記憶部Ｍ４は、コンテンツを識別する「情報ＩＤ」に対応して「タイトル」、「種別」、「実データ」、「３Ｄ深度」などを記憶する構成となっている。
【００７２】
「タイトル」は、コンテンツの内容に関するタイトルを示し、図示の例では“二次元コード”、“運動会２００８”、“Ｊリーグ観戦＊＊”、“サンプル動画＊＊”、“サンプル静止画＊＊”、…である。「種別」は、動画コンテンツであるか静止画コンテンツであるかを示す種別情報である。「実データ」は、コンテンツの実データで、その「３Ｄ深度」が“レベル０（２Ｄ表示用）”の実データのみを持つコンテンツもあれば、各３Ｄ深度の実データを持つコンテンツもある。つまり、同じ内容であっても３Ｄ深度毎に実データ（２Ｄ表示を含む）をそれぞれ持つコンテンツがあり、また、３Ｄ深度がレベル０（２Ｄ表示）の実データのみを持つコンテンツがある。なお、“レベル０（２Ｄ）”は、３Ｄ深度が“レベル０（ゼロ）”で、２Ｄ（平面）であることを示している。
【００７３】
このように同じ内容のコンテンツであっても、様々な３Ｄ深度の複数の「実データ」が用意されており、中央制御部１１は、それら複数の「実データ」の中から所定の３Ｄ深度の「実データ」を選択し、その「実データ」をコンテンツ記憶部Ｍ４から読み出して表示部１９に３Ｄ表示させるようにしている。この場合、このコンテンツ記憶部Ｍ４に記憶されていない３Ｄ深度の「実データ」にあっては、同じ内容の２Ｄ用のデータを所定の３Ｄ深度のデータに変換して３Ｄ表示させるようにしている。
【００７４】
図９は、第２実施形態において、コンテンツ再生操作に応答して実行開始される表示制御処理を示したフローチャートである。
先ず、中央制御部１１は、コンテンツ再生操作に応答して、コンテンツ記憶部Ｍ４の「タイトル」を読み出してメニュー表示させた後（ステップＥ１）、そのメニュー画面の中から表示対象として所望するコンテンツがユーザ操作によって選択されると（ステップＥ２）、その選択コンテンツを表示対象として特定する（ステップＥ３）。
【００７５】
そして、表示制御情報記憶部Ｍ３を構成する種類テーブルＴ１の「設定フラグ」を参照し（ステップＥ４）、「設定フラグ」が“１”の「適性条件」は、“手持ち状態”であるか否かを調べたり（ステップＥ５）、“時間帯”であるか“使用者”であるかを調べたりする（ステップＥ６）。いま、「設定フラグ」が“１”の「適性条件」が“手持ち状態”であれば（ステップＥ５でＹＥＳ）、“手持ち状態”に応じて表示制御を決定する表示制御決定処理に移るが（ステップＡ７）、“時間帯”であれば（ステップＥ６でＹＥＳ）、“時間帯”に応じて表示制御を決定する表示制御決定処理に移り（ステップＥ８）、“使用者”であれば（ステップＥ６でＮＯ）、“使用者”に応じて表示制御を決定する表示制御決定処理に移る（ステップＥ９）。なお、上述の各表示制御決定処理は、第１実施形態で説明した図５〜図７の表示制御決定処理と同様であるため、その説明は省略するものとする。
【００７６】
このような表示制御決定処理（ステップＥ７〜Ｅ９）が終了すると、一時記憶されている「３Ｄ深度」、つまり、この表示制御決定処理によって決定された「３Ｄ深度」を読み出し（ステップＥ１０）、その“レベル０”であるかを調べる（ステップＥ１１）。いま、この決定３Ｄ深度が“レベル０”であれば（ステップＥ１１でＹＥＳ）、コンテンツ記憶部Ｍ４を検索し、その結果、２Ｄの「実データ」が記憶されていれば（ステップＥ１２でＹＥＳ）、その「実データ」を読み出すが（ステップＥ１３）、２Ｄの「実データ」が記憶されていなければ（ステップＥ１２でＮＯ）、２Ｄ／３Ｄ変換処理部２０によって３Ｄの「実データ」を２Ｄのデータに変換させる（ステップＥ１４）。
【００７７】
なお、３Ｄの「実データ」を２Ｄのデータに変換する代わりに、３Ｄ深度の異なる複数の「実データ」の中から最も弱い（２Ｄに近い）深度の「実データ」を選択して２Ｄのデータに変換するようにしてもよい。そして、２Ｄ表示させる処理に移るが、その際、表示部１９の表面に視差バリアが生成されていれば、この視差バリアを消去したのち（ステップＥ１５）、当該コンテンツを表示部１９に２Ｄ表示させる（ステップＥ１６）。以下、コンテンツ表示の終了が指示されるまで（ステップＥ１７でＹＥＳ）、選択コンテンツを２Ｄ表示させる（ステップＥ１６、Ｅ１７）。
【００７８】
また、決定３Ｄ深度が“レベル０”でなければ（ステップＥ１１でＮＯ）、コンテンツ記憶部Ｍ４を検索し、この決定３Ｄ深度に対応する３Ｄの「実データ」の有無を調べる（ステップＥ１８）。なお、「実データ」には、「３Ｄ深度」が“レベル０”の実データのみを持つコンテンツもあれば、各３Ｄ深度の実データを持つコンテンツもあるので、その中から該当する３Ｄ深度の実データの有無を調べる。いま、決定３Ｄ深度に該当する３Ｄの「実データ」が記憶されていれば（ステップＥ１８でＹＥＳ）、その「実データ」を読み出して（ステップＥ１９）、３Ｄ表示させる処理に移るが、その際、視差バリアを表示部１９の表層に生成させた後（ステップＥ２１）、表示部１９に３Ｄ表示させる（ステップＥ２２）。以下、コンテンツ表示の終了を指示する操作が行われるまで（ステップＥ２３でＹＥＳ）、選択コンテンツを３Ｄ表示させる（ステップＥ２２、Ｅ２３）。
【００７９】
また、決定３Ｄ深度に対応する３Ｄの「実データ」が記憶されていなければ（ステップＥ１８でＮＯ）、つまり、別の３Ｄ深度（例えば、深度レベル“１”）の「実データ」しか記憶されていなければ、２Ｄ／３Ｄ変換処理部２０によって、この別の３Ｄ深度の「実データ」を、決定３Ｄ深度のコンテンツに変換させる（ステップＥ２０）。そして、上述の場合と同様に、視差バリアを表示部１９の表層に生成させた後（ステップＥ２１）、表示部１９に３Ｄ表示させる（ステップＥ２２）。以下、コンテンツ表示の終了を指示する操作が行われるまで（ステップＥ２３でＹＥＳ）、選択コンテンツを３Ｄ表示させる（ステップＥ２２、Ｅ２３）。
【００８０】
以上のように、この第２実施形態においては、３Ｄ深度が異なる複数の実データを持つコンテンツを記憶するコンテンツ記憶部Ｍ４の中から、３Ｄ表示での適性に応じて決定された３Ｄ深度に対応する実データ（２Ｄ／３Ｄ）を読み出して適切な２Ｄ／３Ｄ表示させるようにしたので、予め記憶（蓄積）されているコンテンツの中に適切とされる実データがある場合は、表示対象として選択されたコンテンツに対し２Ｄ／３Ｄ変換を行うことなく、適切な２Ｄ／３Ｄ表示させることができる。
【００８１】
また、３Ｄ表示に適していないコンテンツを弱い３Ｄ深度（例えば、レベル０）で表示させるようにしたから、適切な３D深度での表示を行うことができ、例えば、レベル０の３Ｄ深度での３Ｄ表示（すなわち、擬似的な２Ｄ表示）もさせることができる。
【００８２】
また、第２実施形態においても上述した第１実施形態と同様の効果を有し、使用者に煩わしさを感じさせることなく、２Ｄ表示の見易い表示から臨場感のある３Ｄ表示まで使用者の意向に沿った適切な表示を実現することができ、電力消費の点でも有利であるなどの効果を有し、実用性に富んだものとなる。
【００８３】
なお、上述した各実施形態において３Ｄのコンテンツは、その３Ｄ深度に応じた右目用のコンテンツと左目用のコンテンツを同時に表示して、それらが正しく３Ｄに見えるように３Ｄ深度に応じた視差バリアを表示部１９の表層に生成して３Ｄ表示を行う方法を例示したが、例えば、コンテンツが３Ｄに見えるような視覚効果を施して３Ｄ表示を行う方法など、任意の３Ｄ表示方法であってもよい。
【００８４】
その他、記憶部１３はメモリカードや外付けハードディスクなど、任意の外部記憶装置であってもよい。また、表示部１９は、外部モニタなど、任意の外部表示装置であってもよい。また、端末装置は携帯電話機１に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。
【００８５】
また、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８６】
１  携帯電話機
２  無線通信網
３  インターネット
４  情報配信装置
１１  中央制御部
１３  記憶部
１５  無線通信部
１７  テレビ放送受信部
１８  撮像処理部
１９  表示部
２０  ３Ｄ変換処理部
２１  操作部
２３  タッチセンサ部
Ｍ１  プログラム記憶部
Ｍ３  表示制御情報記憶部
Ｍ４  コンテンツ記憶部
Ｔ１  種類テーブル
Ｔ２、Ｔ３、Ｔ４  適性条件別テーブル
Ｔ５  参照用テーブル
【図１】
2011015133.tif 000003
【図２】
2011015133.tif 000004
【図３】
2011015133.tif 000005
【図４】
2011015133.tif 000006
【図５】
2011015133.tif 000007
【図６】
2011015133.tif 000008
【図７】
2011015133.tif 000009
【図８】
2011015133.tif 000010
【図９】
2011015133.tif 000011